(57)【要約】【課題】ユーザが通信端末を操作しない期間は瞬き回数を計測しないので、ユーザが端末の操作をせずに、表示画面を見続けている期間の瞬き回数が計測されない。即ち、その期間の目の疲労は考慮されず、疲労低減制御がされない。【解決手段】表示部に関する設定情報に基づいて表示処理を行う表示装置１０に於いて、ユーザの視線を検出する視線検出部１１と、ユーザが前記表示部を見ている時間をカウントする計時部１５と、ユーザの目の疲労度を測定する疲労度測定部１２と、前記疲労度に基づき、前記表示部の表示制御を行う表示制御部１３と、を備える。【選択図】図１
2015152757.tif 000002
【特許請求の範囲】
【請求項１】
表示部に関する設定情報に基づいて表示処理を行う表示装置に於いて、
ユーザの視線を検出する視線検出部と、
ユーザが前記表示部を見ている時間をカウントする計時部と、
ユーザの目の疲労度を測定する疲労度測定部と、
前記疲労度に基づき、前記表示部の表示制御を行う表示制御部と、
を備えることを特徴とする制御装置。
【請求項２】
前記疲労度測定部は、ユーザの瞬きの回数を測定し、
前記表示制御部は、前記瞬きの回数が所定回数よりも少ない時に、前記表示部の輝度を上げる
ことを特徴とする請求項１に記載の制御装置。
【請求項３】
前記疲労度測定部は、ユーザの瞬きの回数を測定し、
前記表示制御部は、前記瞬きの回数が所定回数よりも少ない時に、前記表示部のリフレッシュレートを下げる
ことを特徴とする請求項１に記載の制御装置。
【請求項４】
前記視線検出部が、ユーザの視線が前記表示部から逸れたことを契機にカウントを開始する余所見計時部を備え、
ユーザの視線が前記表示部から逸れている時間が規定時間を超えると、前記計時部のカウントを初期設定に戻す
ことを特徴とする請求項１に記載の制御装置
【請求項５】
前記表示制御部が表示制御を実行した後に、前記疲労度測定部がユーザの瞬きを検出すると、前記表示部の設定を基に戻す
ことを特徴とする請求項１から３に記載の制御装置。
【請求項６】
制御装置が備える、表示部の制御が可能な複数の表示制御部を制御する制御方法であって、
ユーザの視線を検出する視線検出工程と、
ユーザが前記表示部を見ている時間をカウントする計時工程と、
ユーザの目の疲労度を測定する疲労度測定工程と、
前記疲労度に基づき、前記表示部の表示制御を行う表示制御工程と
を含むことを特徴とする制御方法。
【発明の詳細な説明】
【技術分野】
【０００１】
本発明は、表示装置の眼の疲労度低減技術に関するものである。
【背景技術】
【０００２】
下記特許文献１には、通信端末の表示画面を見ているユーザの目の疲労を判定し、表示画面の設定情報が更新される仕組みが記載されている。具体的には、通信端末がキーの押下を検知すると、ユーザが通信端末を操作していると判断して、サブカメラの撮影画像からユーザの顔を検出する。顔が検出されたのち、所定時間あたりのユーザの目の瞬き回数を計測する。計測された瞬きの回数に応じて、フォントサイズ、フォントの太さ、背景コントラスト、輝度などを更新して表示することで、ユーザの眼の疲労の低減を図ることが記載されている。
【先行技術文献】
【特許文献】
【０００３】
【特許文献１】特開２０１０−２３７３９２号公報（２０１０年１０月２１日公開）
【発明の概要】
【発明が解決しようとする課題】
【０００４】
しかしながら、特許文献１に記載されている技術を適用すると、ユーザが通信端末を操作しない期間は瞬き回数を計測しないので、ユーザが端末の操作をせずに、表示画面を見続けている期間の瞬き回数が計測されない。即ち、その期間の目の疲労は考慮されず、疲労低減制御がされない。
【０００５】
本発明は、上記課題を鑑みてなされたものであり、ユーザが表示装置を見ていることを検出し、その期間の目の疲労を判定することにより、疲労低減の効果を高めることを目的とする。
【課題を解決するための手段】
【０００６】
上記の課題を解決するために、本発明の一態様に係る表示装置は、ユーザの視線を検出しうる視線検出手段と、ユーザの目の疲労度を測定する疲労度測定手段と、疲労度測定手段により測定された疲労度に基づき、表示画面を制御する表示制御手段と、を備えることを特徴とする。
【発明の効果】
【０００７】
本発明の一態様によれば、ユーザが表示装置を操作せずとも目の疲労度を測定することが出来るため、表示装置における眼の疲労低減効果を高めることができる。
【図面の簡単な説明】
【０００８】
【図１】本発明の実施形態１に係る表示装置の機能ブロック図である。
【図２】本発明の実施形態１に係る表示装置のハードウェアブロック図である。
【図３−Ａ】本発明の実施形態１に係る瞬き回数検出と表示制御のフローチャートである。
【図３−Ｂ】本発明の実施形態１に係る表示制御の一例を示すフローチャートである。
【図４】本発明の実施形態２に係るユーザの余所見を検出するフローチャートである。
【図５−Ａ】本発明に係る設定情報記憶部に保存されているパラメータの例である。
【図５−Ｂ】本発明の表示制御の設定パラメータの例である。
【図６】本発明の実施形態３に係る余所見回数をカウントするフローチャートである。
【図７】本発明の実施形態４に係る瞬き基準回数の設定に関するフローチャートである。
【発明を実施するための形態】
【０００９】
以下、添付の図面を参照して、本発明の一実施形態について説明する。
【００１０】
〔実施形態１〕
まず、図１〜３を参照して、本発明の実施形態１について説明する。
【００１１】
図１は、本発明の実施形態１に係る表示装置１０の構成を示す機能ブロック図である。図１に示す表示装置１０は、視線検出部１１、疲労度測定部１２、表示制御部１３、設定情報記憶部１４、および計時部１５を備える表示装置である。視線検出部１１はたとえばカメラや赤外線カメラ、筋電センサから構成される。疲労度測定部１２は瞬き回数の測定を行う。表示制御部１３は瞬きの回数に基づき、液晶表示画面の輝度やリフレッシュレートの制御を行い、それらの設定値は設定情報記憶部１４に記憶されている。計時部１５はユーザが表示部を見ている時間の計測を行う。
【００１２】
図２は、本発明の表示装置２０のハードウェア構成図である。表示装置２０は、表示部２１、カメラ（赤外線カメラ）２２、制御部２３、記憶部２４、計時部２５、および筋電センサ２６を備えている。表示部２１は液晶（ＬＣＤ）や有機ＥＬであってよく、また、ＬＥＤやランプなどで構成されていてもよい。
【００１３】
カメラ２２はユーザの視線検出や瞬き回数をカウントするために用いられ、その種類は問わず、また、複数備えていてもよい。また、カメラ２２はユーザの顔や目を撮影し易い位置、たとえば表示部２１の近傍に配置されていることが好ましい。制御部２３には、図１に於ける視線検出部１１、疲労度測定部１２、表示制御部１３の一部または全部が含まれる。
【００１４】
また、瞬きの回数をカウントする為に筋電センサ２６を用いてもよい。筋電センサを用いる場合、ユーザの目の周囲の皮膚表面に電極を配し、電極にパルス電流を流すことで筋の動きを検出する。瞬きが行われると、筋電図に反応が現れるので、瞬きの回数をカウントできる。電極と表示装置本体の制御部２３との間は有線または無線で接続されている。
【００１５】
瞬きの回数が所定回数よりも少ない場合、ユーザの眼に負担が掛かっており、目が疲労している、または目が疲労する可能性が高いと判断する。たとえば、１分あたりの瞬き回数が２０回以下の場合、ユーザの目が疲労している、または疲労すると判断する。
【００１６】
次に、図１および図２に示す目の疲労度軽減装置の各機能について説明する。
【００１７】
視線検知部１１は、ユーザの視線を検知する部分である。具体的には、図２に示すカメラ２２と制御部２３の一部に相当する。カメラ２２で撮影されたユーザの顔の向き、目の位置、眼球の位置、からユーザがどの方向を見ているのかを判断する。
【００１８】
疲労度測定部１２は、視線検知部１１でユーザが表示部２１を見ていると判断されると、所定の時間内でのユーザの瞬き回数をカウントする。具体的には、図２に示すカメラ（赤外線カメラ）２２や筋電センサ２６で構成される。
【００１９】
また、計時部１５（計時部２５）は、予め定められた期間をカウントする。この期間とは、瞬きの回数を測定する期間であり、視線検知部１１でユーザが表示部２１を見ていると判断されると、時間のカウントが開始される。カウントされる時間が予め定められた期間に達する前にユーザの視線が表示部２１から逸れたと視線検知部１１が判断した場合には、計時部１５のカウントはリセットされる。
【００２０】
表示制御部１３は、疲労度測定部１２で測定した結果、瞬き回数が少ない場合、つまりユーザの目が疲労していると判断した場合に、ユーザが瞬きをするように誘導する表示を行う。具体的には、表示部２１の輝度を上げたり、表示部２１をちらつかせたり点滅をしたりすることによって、ユーザの瞬きを誘発するような制御を行う。その際の輝度やちらつき、点滅のパラメータ（タイミングや明るさ）は設定情報記憶部１４に保存されている。表示制御部１３は設定情報記憶部１４に保存されているパラメータを読み出し、そのパラメータに基づいて表示部２１の輝度やちらつき、点滅などの制御を行う。
【００２１】
設定情報記憶部１４に保存されているパラメータの例として図５−Ａを挙げる。この例では、瞬き回数を検出する為の時間を示す「瞬き検出用タイマＡ」、表示制御を行うか否かの判断基準となる「瞬きの基準回数」、ユーザが視線を逸らした時に余所見か、長時間の視線外しかを判断する為の「余所見用タイマＢ」、表示部の「輝度」「リフレッシュレート」が設定されている。
【００２２】
次に、図３に示すフローチャートを用いて、本実施形態の表示装置１０において実行される処理を説明すると共に、本実施形態に係る画面表示制御方法について説明する。
【００２３】
図３−Ａは、本実施形態の表示装置２０において実行されるユーザの瞬き検出と表示処理を示すフローチャートである。
【００２４】
表示部２１の表示が開始されると（Ｓ３００）、記憶部２４に記憶されている初期状態のパラメータで表示部２１の輝度が設定される（Ｓ３０１）。この初期設定は、表示に関するパラメータの設定の他に、計時部１５の初期値も含まれる。
【００２５】
次にカメラ２２がユーザの顔を撮影し、視線を捉え、ユーザが表示部２１を見ているか否かを判断する（Ｓ３０２）。視線検出の技術は既にいくつかの方法が発明され、製品化されているものもあり、本明細書ではその方法や種類を問わない。
【００２６】
ユーザが表示部２１を見ていると判断されると、計時部２５が表示部２１を見ている時間のカウントを開始し（Ｓ３０３）、ユーザが表示部２１を見ている期間に於ける瞬きの回数をカウントする（Ｓ３０４）。ここでの瞬き検出は、カメラ(赤外線カメラ)や筋電センサを用いる。ここで、ユーザの視線が表示部２１から外れた場合（Ｓ３０５のＮＯ）には、再び初期設定（Ｓ３０１）に戻る。ユーザの視線が表示部２１から外れずに表示部２１を見続けている場合（Ｓ３０５のＹＥＳ）、表示部２１を見ている時間をカウントしている計時部２５が規定値を超えたか否かを判断する（Ｓ３０６）。計時部２５のカウント値が規定値を超えていない場合（Ｓ３０６のＮＯ）、引き続き瞬きの有無の検出を行い（Ｓ３０４）、瞬きの回数がカウントされる。計時部２５のカウント値が基準値を超えている場合（Ｓ３０６のＹＥＳ）、定められた期間内にカウントされた瞬きの回数が所定値（基準回数）以上であるか否かの判断を行う（Ｓ３０７）。瞬きの回数が多い、つまり瞬きの回数が基準回数より大きい場合（Ｓ３０７のＮＯ）は、ユーザの目が疲れていないと判断される。これは瞬きの回数が充分であると、瞳が潤い、目が疲れないと判断されるためである。そして、再び最初から瞬き回数の測定が行われる（Ｓ３０１に戻る）。もしＳ３０７でユーザの瞬きの回数が基準回数よりも少なければ（Ｓ３０７のＹＥＳ）、眼が乾燥し、ユーザの目が疲労してしまうことが危惧されるので、表示制御（Ｓ３０８）が行われる。
【００２７】
ここでの表示制御とは、たとえば表示部２１のＬＣＤの輝度を制御することであり、例としては３５ｃｄ／ｍ２から１００ｃｄ／ｍ２へ輝度を上げることで、ユーザの瞬きを誘発させる。表示部２１が有機ＥＬやＬＥＤ、ランプの場合も同様である。また、表示制御の一例として、表示部２１のリフレッシュレートの変更でもよく、リフレッシュレートの値を下げることで表示部２１の表示がちらつかせ、ユーザの瞬きを誘発させる。また、輝度を制御する対象はユーザが目視している表示部２１の輝度では無く、表示部２１の周囲に配置されている発光体でもよい。
【００２８】
図３−Ｂに表示制御（Ｓ３０８）の動作の一例を挙げる。
【００２９】
まず、所定時間内のユーザの瞬きの回数が少なく、瞬きを誘発させる必要がある場合に、表示部２１の輝度を上げる（Ｓ３０９）。このときの輝度の変更は小さくても良いし、大きくても良い。次に図３−Ａに引き続いて、ユーザが瞬きをするか否かを監視する（Ｓ３１０）。このとき、ユーザが瞬きをしたなら（Ｓ３１０のＮＯ）、瞬きを誘発させる為の表示制御を終了し、Ｓ３０１に戻り、輝度を基の値に設定する。一方、ユーザが瞬きをしないのなら（Ｓ３０１のＹＥＳ）、瞬きをするまで待つ（Ｓ３１０の自己ループ）か、もしくはＳ３０９に戻り、更に輝度を上げて瞬きを誘導する。
【００３０】
図３−Ｂでは、表示部の輝度を例示したが、表示部のリフレッシュレートの変更でもよい。
【００３１】
図３−Ｂのパラメータの表示制御の設定例を図５−Ｂに挙げる。本発明を実行するときに、輝度、リフレッシュレートの初期値が設定される。ユーザの瞬きの回数が少ないと判断されると、輝度やリフレッシュレートの設定値が瞬き誘発用の値に設定される。
【００３２】
以上の動作により、瞬き回数を所定回数以上に保つことでユーザの目の疲れを低減することができる。
【００３３】
なお、本発明の処理は、表示装置が動作している間、常に実行されていてもよいし、表示装置が動作し始めてから一定時間経過後に実行してもよい。また、間欠的に実行されてもよい。
【００３４】
また、瞬きの基準回数は、時間の経過によって変化させてもよい。たとえば、表示装置１０を起動して使い始めた直後に設定された瞬きの基準回数を、３０分経過するたびに増やすことが考えられる。また、その逆に減らしてもよい。また、瞬きの基準回数の代わりに、または瞬きの基準回数と共に、瞬き検出用タイマＡの値を時間の経過によって変化させてもよい。
【００３５】
以上の構成と動作により、ユーザが表示装置１０を操作していなくとも、長時間表示部２１を見続けたときの目の疲労を低減することができる。
【００３６】
なお、図３−Ａに示すフローチャートの説明として、表示部２１の表示が開始されると視線検出をスタートさせる（Ｓ３００）ことを挙げたが、ユーザが表示装置２０を把持したことを検出することで、視線検出の動作をスタートさせてもよい。表示装置２０が把持されたことを検出する方法としては、表示装置２０に備えられたグリップセンサ（図示せず）や加速度センサ（図示せず）などがある。
【００３７】
〔実施形態２〕
本実施形態２の表示装置１０は、瞬き測定中の余所見（よそ見）時間を考慮した表示制御となっている。実施形態１では、疲労度計測中にユーザの視線が表示部から外れた場合には、再び最初からユーザの視線検知を行い、タイマの初期化をしていたが、これでは一瞬の余所見をした場合であっても測定のやり直しになるので、本実施形態２では、一瞬の余所見を誤差として扱う。
【００３８】
図４のフロー図は実施形態１（図３−Ａ）と基本的に同じだが、以下の点で異なる。
【００３９】
即ち、ユーザの視線が表示部２１を見ているかを確認するとき（Ｓ４０５）に、表示部２１を見ていないと判断されたなら（Ｓ４０５のＮＯ）、瞬き用タイマＡとは別に余所見用タイマＢ（余所見計時手段）のカウントを行う（Ｓ４０９）。タイマＢは、ユーザが表示部２１から視線を逸らした行為が一過性のものなのか（一瞬の余所見なのか）、長時間視線を逸らしているか、を判断する為のタイマである。もしタイマＢの値が一定以上であれば（Ｓ４１０のＹＥＳ）、ユーザが表示部２１の目視をやめたと判断し、再び最初の処理（Ｓ４０１）に戻る。また、タイマＢの値が一定未満であれば（Ｓ４１０のＮＯ）、Ｓ４０５に戻り、ユーザの視線の監視を行う。なお、初期設定（Ｓ４０１）で行う計時部１５の設定は、瞬き検出用タイマＡの他に余所見用タイマＢの値も初期値に設定される。
【００４０】
この処理により、少々余所見をしたとしても、瞬き検出を始めからやり直すことは無くなるので、よりユーザの目の疲労を検知し易くなる。
【００４１】
また、ユーザの余所見を検出しているとき（Ｓ４０９、Ｓ４１０）、瞬き検出用タイマＡを一時停止していてもよい。これにより、本当にユーザが表示部２１を見ている時間に対してのみ、瞬きの回数をカウントすることができる。
【００４２】
〔実施形態３〕
本実施形態３の表示装置１０は、瞬き測定中の余所見（よそ見）回数を考慮した表示制御となっている。
【００４３】
図６のフロー図は実施形態２（図４）と基本的に同じだが、以下の点で異なる。
【００４４】
即ち、長時間余所見している回数をカウントし（Ｓ６１１）、カウントされた回数が規定回数以上であれば（Ｓ６１２のＹＥＳ）、目が疲れていないと判断し、最初に戻る。カウントされた回数が規定回数に満たない場合（Ｓ６１２のＮＯ）は、Ｓ６０５に戻り、ユーザの視線の検知を続ける。
【００４５】
この処理により、長時間の余所見の回数が多いときに目の疲労回復の為の表示制御をせず、目の疲労回復が必要と思われる長時間の余所見回数が少ないときは表示制御の対象とすることにより、効率よく処理が行えるとともに表示部２１の見易さと目の疲労の回復の両立をすることができる。
【００４６】
〔実施形態４〕
上述の実施形態１では、一定期間の瞬き回数が所定回数（瞬きの基準回数）よりも多いか少ないかによって、表示制御をするかしないかを判断しており、瞬きの基準回数が設定情報記憶部１４に記憶されている例を挙げたが、この瞬きの基準回数は予め設定情報記憶部１４にデフォルト値が記憶されている場合の他、ユーザの目が疲労する前に計測した瞬き回数を基準回数に定めてもよい。
【００４７】
図７に基準回数の設定例を挙げる。図７のフローは、ユーザが表示部２１を最初に見るときに動作するものである。
【００４８】
まず表示に関する初期設定が行われ（Ｓ７０１）、ユーザが表示部２１を見ていることを検出すると（Ｓ７０２のＹＥＳ）、瞬き検出用タイマＡの動作が開始される（Ｓ７０３）。そして所定時間内（瞬き検出用タイマＡの時間が満了する迄の時間：Ｓ７０５）の瞬きの回数がカウントされる（Ｓ７０４）。そのカウントされた瞬き回数を基に、基準回数が設定される（Ｓ７０６）。このとき設定される基準回数は、計測された瞬き回数そのものであってもよいし、その前後の値でもよい。
【００４９】
以上の動作は、ユーザの目が疲労する前、たとえば表示装置１０を起動した直後に行うことが好ましい。また、その際に基準回数を１回の測定で決めるのでは無く、複数回の測定を行った上で、その平均を基準回数に定めてもよい。また、ユーザが一定時間以上視線を表示部２１から逸らしたのち、再び表示部２１を見たときに行ってもよい。
【００５０】
このように瞬きの基準回数を設定することによって、表示装置１０を使用する個々のユーザに合う瞬きの基準回数を定めることができる。
【００５１】
〔まとめ〕
本発明の態様１に係る表示装置１０は、表示部に関する設定情報に基づいて表示処理を行う表示装置であって、ユーザの視線を検出する視線検出部１１と、ユーザが表示部を見ている時間または表示部を見ていない時間をカウントする計時部１５と、ユーザの目の疲労度を測定する疲労度測定部１２と、疲労度に基づき、表示部の表示制御を行う表示制御部１３と、を備える。上記の構成によれば、ユーザが瞬きをせずに長時間表示部を見ている場合に、瞬きを誘発させるような表示制御を行う為、目の疲労を低減することができる。
【００５２】
本発明の態様２に係る制御装置は、上記態様１において、疲労度測定部がユーザの瞬きの回数を測定し、表示制御部は瞬きの回数が所定回数よりも少ないときに、表示部の輝度を上げる動作を行う。上記の動作によれば、ユーザが瞬きをせずに長時間表示部を見ている場合に、表示部の輝度を上げることで瞬きを誘導し、目の疲労を低減することができる。
【００５３】
本発明の態様３に係る制御装置は、上記態様１において、疲労度測定部がユーザの瞬きの回数を測定し、表示制御部は瞬きの回数が所定回数よりも少ないときに、表示部のリフレッシュレートを下げる動作を行う。上記の動作によれば、ユーザが瞬きをせずに長時間表示部を見ている場合に、表示部のリフレッシュレートを下げることで瞬きを誘発させ、目の疲労を低減することができる。
【００５４】
本発明の様態４に係る制御装置は、上記様態１において、視線検出部がユーザの視線が表示部から逸れたことを契機にカウントを開始する余所見計時部を備え、ユーザの視線が前記表示部から逸れている時間が規定時間を超えると、計時部のカウントを初期設定に戻すことで、余所見時間を除いて、表示部を見ている時間の瞬きの回数をカウントすることができる。
【００５５】
本発明の態様５に係る制御装置は、上記態様１から３において、表示制御部が表示制御を実行した後に、疲労度測定部がユーザの瞬きを検出すると、表示部の設定を基に戻す動作を行う。上記の動作によれば、ユーザの瞬きの誘発に成功した後で再び表示部の輝度やリフレッシュレートを基に戻すことで、ユーザが表示部を見易い環境を提供することができる。
【００５６】
本発明の態様６に係る制御方法は、制御装置が備える、表示部の制御が可能な複数の表示制御部を制御する制御方法であって、ユーザの視線を検出する視線検出工程と、ユーザが前記表示部を見ている時間をカウントする計時工程と、ユーザの目の疲労度を測定する疲労度測定工程と、前記疲労度に基づき、前記表示部の表示制御を行う表示制御工程とを含む。上記の動作によれば、ユーザが瞬きをせずに長時間表示部を見ている場合に、瞬きを誘導するような表示制御を行う為、目の疲労を低減することができる。
【００５７】
本発明の各態様に係る制御装置は、コンピュータによって実現してもよく、この場合には、コンピュータを上記制御装置が備える各手段として動作させることにより上記制御装置をコンピュータにて実現させるプログラム、およびそれを記録したコンピュータ読み取り可能な記録媒体も、本発明の範疇に入る。
【００５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５９】
本発明は、表示部を備えた電子機器、例えばテレビ、携帯電話、スマートフォン、パソコンといった、各電子機器に於いて利用可能である。
【符号の説明】
【００６０】
１０、２０  表示装置
１１ 視線検出部
１２ 疲労度測定部
１３ 表示制御部
１４ 設定情報記憶部
１５、２５  計時部
２１ 表示部
２２ カメラ・赤外線カメラ
２３ 制御部
２４ 記憶部
２６  筋電センサ
【図１】
2015152757.tif 000003
【図２】
2015152757.tif 000004
【図３−Ａ】
2015152757.tif 000005
【図３−Ｂ】
2015152757.tif 000006
【図４】
2015152757.tif 000007
【図５−Ａ】
2015152757.tif 000008
【図５−Ｂ】
2015152757.tif 000009
【図６】
2015152757.tif 000010
【図７】
2015152757.tif 000011